(57)【要約】 【課題】  データライン駆動方法及び装置これを有する表示装置を提供する。【解決手段】階調電圧選択部は画像データに基づいて複数の階調電圧のうち１つの階調電圧を選択し、選択された階調電圧を出力する。シフトレジスタは開始信号とシフトクロックとに基づいて、イネイブル信号を順次に出力する。出力部はデータラインそれぞれに連結され、イネイブル信号に応答してアクティブされて階調電圧をデータ信号としてデータラインそれぞれに順次に出力する。これにより、スキャン信号がアクティブされる区間内でデータ信号が表示パネルに順次に提供されるので、表示装置のデータ駆動部の出力チャンネル数が増加されてもそれとは関係なく突入電流の発生を遮断することができる。【選択図】  図２
2005078096.tif 000002
【特許請求の範囲】
【請求項１】
複数のスキャンラインと複数のデータラインによって定義されるそれぞれの領域に形成されたスイッチング素子に対して前記データラインを通じてデータ信号を提供するデータライン駆動方法において、
第１アクティブ区間を有し、前記各スキャンラインをアクティブにするスキャン信号が前記複数のスキャンラインのうち少なくとも１つのスキャンラインに出力されるか否かの可否をチェックする段階と、
前記複数のスキャンラインのうち少なくとも１つのスキャンラインに前記スキャン信号が出力される場合には、前記スキャン信号が出力されるスキャンラインに対応するデータラインのうち少なくとも２つのデータラインには互いに異なるアクティブ区間を有するデータ信号を出力する段階と、
を含むデータライン駆動方法。
【請求項２】
前記データ信号のアクティブ区間の幅の最大値は前記スキャン信号の前記第１アクティブ区間の幅と同じであるか小さいことを特徴とする請求項１記載のデータライン駆動方法。
【請求項３】
前記データ信号を出力する段階は、
前記スキャン信号の前端に応答して第１遅延時間経過後、前記スキャン信号が出力されるスキャンラインに連結されたスイッチング素子それぞれに連結された複数のデータラインのうち、第１データラインに前記スキャン信号のアクティブ区間の間に第２アクティブ区間を有する第１データ信号を出力する段階と、
前記第１データ信号がアクティブされた後第２遅延時間経過後、前記スキャン信号のアクティブ区間の間に第２データラインに前記第２アクティブ区間の幅とは相異する第３アクティブ区間の幅を有する第２データ信号を出力する段階を含み、
前記第１データラインは奇数番目のデータラインであり、前記第２データラインは偶数番目のデータラインであることを特徴とする請求項１記載のデータライン駆動方法。
【請求項４】
前記第２データ信号がアクティブにされた後、第３遅延時間の経過後前記スキャン信号のアクティブ区間の間に第３データラインに第４アクティブ区間を有する第３データ信号を出力する段階をさらに含むことを特徴とする請求項３記載のデータライン駆動方法。
【請求項５】
前記第４アクティブ区間の幅は前記第３アクティブ区間の幅より大きいか同じであることを特徴とする請求項４記載のデータライン駆動方法。
【請求項６】
複数のスキャンラインと複数のデータラインによって定義されるそれぞれの領域に形成されたスイッチング素子に対して前記データラインを通じてデータ信号を提供するデータライン駆動装置において、
外部から提供される画像データに基づいて複数の階調電圧のうちいずれか１つの階調電圧を選択し、選択された階調電圧を出力する階調電圧選択部と、
外部から提供される開始信号とシフトクロックに基づいて、イネイブル信号を順次に出力するシフトレジスタと、
前記データラインそれぞれに連結され、前記イネイブル信号に応答してアクティブにされて前記階調電圧を前記データ信号として前記データラインそれぞれに順次に出力する出力部と、
を含むデータライン駆動装置。
【請求項７】
前記シフトレジスタから出力されるイネイブル信号を一時保存して前記出力部に提供するラッチ部をさらに含むことを特徴とする請求項６記載のデータライン駆動装置。
【請求項８】
前記シフトレジスタは前記開始信号に基づいて一番目のイネイブル信号を出力し、前記シフトクロックに基づいて残りのイネイブル信号を順次に出力することを特徴とする請求項６記載のデータライン駆動装置。
【請求項９】
前記開始信号は水平方向開始信号ＳＴＨであることを特徴とする請求項６記載のデータライン駆動装置。
【請求項１０】
前記スキャンラインには第１アクティブ区間を有するスキャン信号が印加され、
前記シフトレジスタは、
前記第１アクティブ区間より幅が小さいか同じである第２アクティブ区間の幅を有するデータ信号が出力されるようにイネイブル信号のうち１つを出力し、
前記第２アクティブ区間の幅より小さい第３アクティブ区間の幅をデータ信号が出力されるように前記イネイブル信号のうち他の１つを出力することを特徴とする請求項６記載のデータライン駆動装置。
【請求項１１】
前記スキャンラインには第１アクティブ区間を有するスキャン信号が印加され、
前記データ信号それぞれは前記第１アクティブ区間内で互いに異なる時点に立ち上がりを有して前記データラインに印加されることを特徴とする請求項６記載のデータライン駆動装置。
【請求項１２】
前記スキャンラインには第１アクティブ区間を有するスキャン信号が印加され、
前記データ信号がグルーピングされたデータグループそれぞれは前記第１アクティブ区間内で互いに異なる時点に立ち上がりを有して前記データラインに印加されることを特徴とする請求項６記載のデータライン駆動装置。
【請求項１３】
前記データグループの内で前記データ信号は互いに同一の時点または相異する時点に立ち上がりを有することを特徴とする請求項１２記載のデータライン駆動装置。
【請求項１４】
複数のデータラインと複数のスキャンラインによって定義されるそれぞれの領域に形成されたスイッチング素子を具備する表示パネルと、
外部から第１画像信号と前記第１画像信号に対応する第１タイミング信号の提供を受け、第２画像信号、第２及び第３タイミング信号を出力するタイミング制御部と、
前記第２タイミング信号に基づいて前記スキャンラインをアクティブにするスキャン信号を順次に出力するスキャン駆動部と、
前記第３タイミング信号に基づいて前記第２画像信号に対応する階調電圧を前記データラインに順次に出力するデータ駆動部と、
を含む表示装置。
【請求項１５】
前記スキャン信号は第１アクティブ区間を有し、
前記データ駆動部は前記スキャン信号の出力によって、該当スキャンラインに対応するデータラインそれぞれに互いに異なるアクティブ区間の幅を有するデータ信号を順次に出力することを特徴とする請求項１４記載の表示装置。
【請求項１６】
前記データ駆動部は、
前記第２画像信号に基づいて複数の階調電圧のうち１つの階調電圧を選択し、選択された階調電圧を出力する階調電圧選択部と、
外部から提供される開始信号とシフトクロックとに基づいて、イネイブル信号を順次に出力するシフトレジスタと、
前記データラインそれぞれに連結され、前記イネイブル信号に基づいてアクティブにされ前記階調電圧を前記データラインそれぞれに順次に出力する出力部と、
を含むことを特徴とする請求項１４記載の表示装置。
【請求項１７】
前記開始信号はタイミング制御部から提供されることを特徴とする請求項１６記載の表示装置。
【請求項１８】
前記それぞれの階調電圧は前記スキャン信号のアクティブ区間内において、互いに異なる時点に立ち上がりを有することを特徴とする請求項１４記載の表示装置。
【請求項１９】
前記階調電圧は一定の個数にグルーピングされ、グルーピングされた階調電圧は前記スキャン信号のアクティブ区間内において、互いに異なる時点に立ち上がりを有することを特徴とする請求項１４記載の表示装置。
【請求項２０】
前記階調電圧は一定の個数にグルーピングされ、グルーピングされた階調電圧は前記スキャン信号のアクティブ区間内において、同一の時点に立下りを有することを特徴とする請求項１４記載の表示装置。
【発明の詳細な説明】
【技術分野】
【０００１】
本発明はデータラインの駆動方法及び装置と、それを有する表示装置及びそれの駆動方法に関し、より詳細には突入電流（ｉｎｒｕｓｈ  ｃｕｒｒｅｎｔ）の発生を遮断するためのデータライン駆動方法及び装置とそれを有する表示装置に関する。
【背景技術】
【０００２】
最近、移動通信のような中小型液晶表示装置の解像度が漸次増加している。例えば、従来では１２８×１６０の解像度であったものが、最近では１７８×２２０または２４０×３２０（ＱＶＧＡ級）と、その解像度が急増している。
【０００３】
前述した解像度の増加に伴って液晶表示パネルを駆動するドライバＩＣの出力チャンネル数も増加している。特に、データドライバＩＣの出力チャンネル数の増加は初期起動電流の増加を誘発しており、限定された電流容量を有するパワー端の出力低下を誘発する問題点がある。
【０００４】
前記パワー端は充電されたポンプ方式で構成されているので急激な電流（即ち、突入電流）が印加されると、調整（ｒｅｇｕｌａｔｉｎｇ）動作が正常的に行われず、瞬間的に画質低下または表示がされないという問題点があった。勿論、前記突入電流の印加によって液晶表示装置にも瞬間的に電圧降下のような悪影響を及ぼして誤動作を誘発させ得る。
【発明の開示】
【発明が解決しようとする課題】
【０００５】
本発明の技術的課題はこのような従来の問題点を解決するために鑑みなされたもので、本発明の目的は表示パネルに印加されるデータ信号の出力タイミングを調整することで、突入電流の発生を遮断するためのデータライン駆動方法を提供することにある。
【０００６】
また、本発明の他の目的は前述したデータライン駆動方法を遂行するためのデータライン駆動装置を提供することにある。
【０００７】
また、本発明の他の目的は前述したデータ駆動装置を有する表示装置を提供することにある。
【課題を解決するための手段】
【０００８】
前述した本発明の目的を実現するためのデータライン駆動方法は複数のスキャンラインと複数のデータラインによって定義されるそれぞれの領域に形成されたスイッチング素子に対して前記データラインを通じてデータ信号を提供する。第１アクティブ区間を有し、各スキャンラインをアクティブにするスキャン信号が前記複数のスキャンラインのうち少なくとも１つのスキャンラインに出力されるか否かの可否をチェックする。前記複数のスキャンラインのうち少なくとも１つのスキャンラインに前記スキャン信号が出力される場合には、前記スキャン信号が出力されるスキャンラインに対応するデータラインのうち少なくとも２つのデータラインには互いに異なるアクティブ区間を有するデータ信号を出力する。前記データ信号のアクティブ区間の幅の最大値は前記第１スキャン信号の前記第１アクティブ区間の幅と同じであるか小さいことが望ましい。
【０００９】
また、前記した本発明の他の目的を実現するためにデータライン駆動装置は複数のスキャンラインと複数のデータラインによって定義されるそれぞれの領域に形成されたスイッチング素子に対して前記データラインを通じてデータ信号を提供する。階調電圧選択部は外部から提供される画像データに基づいて複数の階調電圧のうち１つの階調電圧を選択し、選択された階調電圧を出力する。シフトレジスタは外部から提供される開始信号とシフトクロックに基づいて、イネイブル信号を順次に出力する。出力部は前記データラインそれぞれに連結され、前記イネイブル信号に応答してアクティブにされ前記階調電圧を前記データ信号として前記データラインそれぞれに順次に出力する。
【００１０】
また、前記した本発明の目的を実現するために表示装置は表示パネル、タイミング制御部、スキャン駆動部及びデータ駆動部を含む。前記表示パネルは複数のデータラインと複数のスキャンラインとによって定義されるそれぞれの領域に形成されたスイッチング素子を具備する。タイミング制御部は外部から第１画像信号と前記第１画像信号に対応する第１タイミング信号の提供を受け、第２画像信号、第２及び第３タイミング信号を出力する。スキャン駆動部は前記第２タイミング信号に基づいて前記スキャンラインをアクティブさせるスキャン信号を順次に出力する。データ駆動部は前記第３タイミング信号に基づいて前記第２画像信号に対応する階調電圧を前記データラインに順次に出力する。
【００１１】
このようなデータライン駆動方法及び装置とそれを有する表示装置によると、スキャン信号がアクティブされる区間内で互いに異なる時点に立ち上がりを有するデータ信号が表示パネルに提供されるので表示装置のデータ駆動部またはデータドライバＩＣの出力チャンネル数が増加されてもそれとは関係なく前記データドライバＩＣの縦端に配置された出力素子の順次駆動を通じて突入電流の発生を遮断することができる。  
【発明を実施するための最良の形態】
【００１２】
以下、図面を参照して本発明の望ましい一実施例をより詳細に説明する。
【００１３】
図１は本発明による液晶表示装置を示すための図面である。
【００１４】
図１に示すように、本発明による液晶表示装置は液晶表示パネル１００、タイミング制御部２００、階調電源発生部３００、共通電源発生部４００、データ駆動部５００及びスキャン駆動部６００を含む。タイミング制御部２００、階調電源発生部３００、共通電源発生部４００、データ駆動部５００及びスキャン駆動部６００は液晶表示パネル１００を駆動する駆動回路である。
【００１５】
液晶表示パネル１００は横方向に所定間隔を有して配置された複数のスキャンライン（ゲートライン）と縦方向に所定間隔を有して配置された複数のデータライン（ソースライン）によって取り囲まれた領域を画素として定義する。
【００１６】
それぞれの画素はスキャンラインとデータラインに連結されたスイッチング素子ＴＦＴと、一端がスイッチング素子ＴＦＴのドレインに連結され、他端が共通電極に連結された液晶キャパシタＣＬＣと、１つの垂直同期期間に液晶キャパシタＣＬＣを充電させるストレージキャパシタＣＳＴを含む。
【００１７】
液晶表示パネル１００を駆動するためには外部のグラフィックコントローラなどのようなホストから提供されるレッドデータ、グリーンデータ及びブルーデータそれぞれに基づいて発生されたデータレッド信号、データグリーン信号及びデータブルー信号がスイッチング素子ＴＦＴのソース電極に提供され、共通電圧Ｖｃｏｍが液晶キャパシタＣＬＣの共通電極に印加された状態で水平同期信号ＨＳＹＮＣ及び垂直同期信号ＶＳＹＮＣに基づいて発生されたスキャン信号がスイッチング素子ＴＦＴのゲート電極に提供される。
【００１８】
タイミング制御部２００は外部のグラフィックコントローラなどのようなホストから提供される６ビットのレッドデータ、６ビットのグリーンデータ及び６ビットのブルーデータを１８ビットの画像データＤ００〜Ｄ０５、Ｄ１０〜Ｄ１５、Ｄ２０〜Ｄ２５にそれぞれ変換してデータ駆動部５００に提供する。
【００１９】
タイミング制御部２００は外部から提供されるドットクロックＤＣＬＫ、水平同期信号ＨＳＹＮＣ及び垂直同期信号ＶＳＹＮＣに基づいて第１ストロボ信号ＳＴＢ１、クロックＣＬＫ、水平スタートパルスＳＴＨ及びデータ反転信号ＩＮＶを発生させてデータ駆動部５００に提供し、極性信号ＰＯＬを発生させて前記階調で電源発生部３００及び共通電源発生部４００にそれぞれ提供し、垂直スタートパルスＳＴＶを発生させてスキャン駆動部６００に提供する。ここで、第１ストローブ信号ＳＴＢ１は水平同期信号と同一の周期を有する信号であり、前述のクロックはドットクロックと同一または相異する周波数を有する。
【００２０】
水平スタートパルスＳＴＨは水平同期信号と同一の周期を有し、第１ストロボ信号ＳＴＢ１の後に前記クロックの幾つかのパルスによって遅延される信号である。
【００２１】
極性信号ＰＯＬは各一つの水平同期周期毎に、即ち、一つのライン毎に反転させて液晶表示パネル１００を交流で駆動する信号であり、極性信号ＰＯＬは各一つの水平同期周期毎に反転する。
【００２２】
垂直スタートパルスＳＴＶは垂直同期信号と同一の周期を有する信号で、データ反転信号ＩＮＶはタイミング制御部２００で電力消耗を減少させるために利用される。
【００２３】
階調電源発生部３００は複数の抵抗が直列連結された抵抗列と、抵抗列の両端に連結されたスイッチと、抵抗列それぞれに連結された電圧フォロワとを含み、極性信号ＰＯＬの提供を受けてγ補正するように設定された複数の階調電圧を増幅してデータ駆動部５００に出力する。各階調電圧の電位は１つのラインに対応して極性信号ＰＯＬに応答し液晶表示パネル１００の共通電極に印加される共通電位に対して正極性と負極性との間で反転する。抵抗はそれぞれ同一または相異する値を有する。
【００２４】
共通電源発生部４００は極性信号ＰＯＬの提供を受けてグラウンドレベルの共通電圧Ｖｃｏｍまたは一定の電源電圧ＶＤＤレベルの共通電圧を前記液晶表示パネル１００の共通電極に提供する。具体的に、前記電源発生部４００は前記極性信号ＰＯＬが高レベルである場合、グラウンドレベルの共通電圧Ｖｃｏｍを液晶パネル１００の共通電極に提供し、極性信号ＰＯＬが低レベルである場合、電源電圧ＶＤＤレベルの共通電圧を液晶表示パネル１００の共通電極に提供する。
【００２５】
データ駆動部５００はタイミング制御部２００から提供される第１ストローブ信号ＳＴＢ１、クロックＣＬＫ、水平スタートパルスＳＴＨ及びデータ反転信号ＩＮＶに基づいてタイミング制御部２００から提供される１８ビットの画像データＤ００〜Ｄ０５、Ｄ１０〜Ｄ１５及びＤ２０〜Ｄ２５に対応して階調電源発生部４００から提供される階調電圧のうちいずれかの１つを選択した後、選択された階調電圧を液晶表示パネル１００のソース電極に順次出力する。即ち、データ駆動部５００は選択された階調電圧をそれぞれ順次出力するように構成でき、一定の階調電圧をグループにして順次出力する構成とすることもできる。
【００２６】
例えば、階調電圧をそれぞれ順次出力する場合、各階調電圧はスキャン信号のアクティブ区間内で互いに異なる時点に立ち上がりを有し、同一の時点に立下りを有する。また、グルーピングされた階調電圧を順次に出力する場合、グルーピングされた階調電圧はスキャン信号のアクティブ区間内で互いに異なる時点に立ち上がりを有し、同一の時点に立下りを有する。
【００２７】
スキャン駆動部６００はタイミング制御部２００から提供される垂直スタートパルスＳＴＶに応答して連続して複数のスキャン信号Ｇ１〜Ｇｎを発生して液晶パネル１００のゲート電極に順次に提供する。
【００２８】
以上、液晶表示装置を表示装置の一例に説明したが、表示パネルにスイッチング素子を有してアクティブ方式に画像を表示する有機電界発光表示装置や、プラズマ表示装置などにも適用することができるのは当然のことである。
【００２９】
次に、図２に基づいて、前述したデータ駆動部５００をより詳細に説明する。
【００３０】
図２は前述した図１のデータ駆動部を示すための図面である。  
【００３１】
図１及び図２に示すように、本発明の一実施例によるデータ駆動部５００は第１シフトレジスタ５１０、データバッファ５２０、データレジスタ５３０、制御回路５４０、データラッチ５５０、階調電圧発生部５６０、階調電圧選択部５７０及び出力部５８０を具備する。ここで、データ駆動部５００は１７６×２２０×３の解像度を有する液晶パネル１００を駆動すると仮定する。
【００３２】
第１シフトレジスタ５１０はタイミング制御部２００から提供されたクロックＣＬＫに同期してタイミング制御部２００から提供された水平スタートパルスＳＴＨをシフトさせる。例えば、１７６個のパラレルサンプリングパルスを出力する１７６個のフリップ・フロップ（ＤＦＦ）からなるシリアル-インパラレル-アウト型シフトレジスタである。
【００３３】
データバッファ５２０はタイミング制御部２００の電力消耗を減少させるために利用されるデータ反転信号ＩＮＶに基づいてタイミング制御部２００から提供される１８ビットの画像データＤ００〜Ｄ０５、Ｄ１０〜Ｄ１５及びＤ２０〜Ｄ２５を反転させ、反転されたデータをデータレジスタ５３０に画像データ（/Ｄ００〜/Ｄ０５、/Ｄ１０〜Ｄ１５及び/Ｄ２０〜Ｄ２５）として提供する。
【００３４】
また、データバッファ５２０はタイミング制御部２００から提供される１８ビットの画像データ（Ｄ００〜Ｄ０５、Ｄ１０〜Ｄ１５及びＤ２０〜Ｄ２５）を反転させないで提供することができる。
【００３５】
データレジスタ５３０は、１７６個のパラレルサンプリングパルスに同期してデータバッファ５２０から提供される画像データ（Ｄ００〜Ｄ０５、Ｄ１０〜１５及びＤ２０〜Ｄ２５）または反転された画像データ（/Ｄ００〜/Ｄ０５、/Ｄ１０〜/１５及び/Ｄ２０〜/Ｄ２５）を取得した後、データラッチ５５０に提供する。
【００３６】
制御回路５４０は直列に接続された複数個のインバーターからなり、タイミング制御部２００から提供された第１ストローブ信号ＳＴＢ１を所定の期間だけ遅延させて生成した第２ストローブ信号ＳＴＢ２をデータラッチ５５０に提供し、第２ストローブ信号ＳＴＢ２とは位相が反対である第３ストローブ信号ＳＴＢ３を出力部５８０に提供する。
【００３７】
データラッチ５５０は制御回路５４０から提供される第２ストローブ信号の立ち上がりに同期して、データレジスタ５３０から提供される画像データをラッチした後、１つの水平同期時間の間維持する。１つの水平同期時間は次の第２ストローブ信号ＳＴＢ２が提供される前の時間として定義される。
【００３８】
階調電圧発生部５６０は液晶表示パネル１００の印加電圧対比光透過率を満足することができるように直列接続された複数の抵抗からなり、階調電源発生部３００から提供される複数の階調電源のうちいずれか１つを電圧分配して、複数の階調電圧を階調電圧選択部５７０に提供する。例えば、９個の階調電源の提供を受けると、直列接続された複数の抵抗のうち最終抵抗の一端に印加して６４個の階調電圧（Ｖ１〜Ｖ６４）に分岐させる。
【００３９】
階調電圧選択部５７０はデータラッチ５５０から提供される１６ビットの画像データ値を根拠にして階調電圧発生部５６０から提供される６４個の階調電圧Ｖ１〜Ｖ６のうち一つの階調電圧を選択し、選択された階調電圧を前記出力部５８０に提供する。
【００４０】
出力部５８０は階調電圧選択部５７０から出力される階調電圧を貯蔵していて、第３ストローブ信号ＳＴＢ３の印加に応答して階調電圧を順次に液晶パネル１００のデータラインに印加する。
【００４１】
階調電圧はそれぞれ順次印加するように構成でき、一定のグループ単位に順次印加することもできる。このように、階調電圧が液晶パネルのデータラインに同時に印加されず、個別的または一定のグループ単位に印加されるので突入電流が発生することを最小化することができる。
【００４２】
図３は前述した図２の出力部の一例を説明するための図面である。特に出力部が複数の演算増幅器（ＯＰ-Ａｍｐ）で構成される例を図示する。
【００４３】
図１ないし図３に示すように、本発明の一実施例による出力部５８０は第２シフトレジスタ５８２、ラッチ部５８４及び増幅部５８６を含み、階調電圧選択部５７０から出力される階調電圧を貯蔵していて、第３ストローブ信号ＳＴＢ３の印加に応答して階調電圧を順次に液晶表示パネル１００のデータラインに印加する。
【００４４】
第２シフトレジスタ５８２は水平スタートパルスＳＴＨとシフトクロックの提供を受けてイネイブル信号をラッチ部５８４に順次に出力する。ラッチ部５８４では、入力された稲井ぶる信号をラッチし、これを順次増幅器５８６に印加する。
【００４５】
増幅部５８６はラッチ部５８４から提供されるイネイブル信号に応答して、階調電圧選択部５７０から提供される６４個の階調電圧Ｖ１〜Ｖ６４のうち選択された階調電圧を増幅して液晶液晶表示パネル１００のデータラインに出力する。
【００４６】
動作時、増幅部５８６は階調電圧選択部５７０から選択された階調電圧の提供を受けても第２シフトレジスタ５８２からイネイブル信号が入らないと出力端を通じて出力しない。
【００４７】
以上、第２シフトレジスタ５８２から出力されたイネイブル信号がラッチ部５８４によってホールディングされた後、増幅部５８６に印加されることを説明したが、前述したラッチ部を省略することもできる。
【００４８】
図４は本発明の一実施例によるデータライン駆動方法を説明するための波形図である。
【００４９】
図４に示すように、液晶パネル１００の１番目のスキャンラインをアクティブにする第１スキャン信号Ｇ１が印加されることによって、データ駆動部５００は、液晶パネル１００の１番目のデータラインに対して、第１スキャン信号Ｇ１のアクティブ区間の概ね９０％区間を有する第１データ信号Ｓ１１を出力し、２番目のデータラインには第１スキャン信号Ｇ１のアクティブ区間の概ね５０％区間を有する第２データ信号Ｓ１２を出力する。
【００５０】
即ち、第１データ信号Ｓ１１は第１スキャン信号Ｇ１がアクティブになった後、第１遅延時間ＴＤ１の経過と共に、低レベルから高レベルに変換するデータ電圧形態に出力され、第１スキャン信号Ｇ１が非アクティブとなることによって、高レベルから低レベルに反転する。
【００５１】
第２データ信号Ｓ１２は第１データ信号Ｓ１１がアクティブになった後、第２遅延時間ＴＤ２の経過と共に、低レベルから高レベルに移行するデータ電圧の形態で出力され、第１スキャン信号Ｇ１が非アクティブになることによって、高レベルから低レベルに移行する。第１スキャン信号Ｇ１が非アクティブになると同時にまたは第３遅延時間ＴＤ３経過後、第２スキャン信号Ｇ２がアクティブになる。
【００５２】
第１データ信号Ｓ１１のアクティブ区間は、第１スキャン信号Ｇ１のアクティブ区間と概ね一致するので、液晶キャパシタＣＬＣを充電するのに十分な時間を有しているが、第２データ信号Ｓ１２のアクティブ区間は、液晶キャパシタＣＬＣを充電するのに十分な時間ではない。このような点を勘案すると、第２データ信号Ｓ１２がアクティブになる区間は、液晶キャパシタＣＬＣを充電するのに十分な時間を確保することが望ましい。
【００５３】
以上、１つのスキャンラインに印加されるスキャン信号に対応して２つのデータ信号のみを説明したが、多様に適用することができる。
【００５４】
例えば、第１データ信号Ｓ１１を奇数側データラインに印加されるデータ電圧として定義し、第２データ信号Ｓ１２を偶数側データラインに印加されるデータ電圧として定義することができる。
【００５５】
また、第１データ信号Ｓ１１を１番目のデータラインに印加されるデータ電圧として定義し、第２データ信号Ｓ１２を最後のデータラインに印加されるデータ電圧として定義することができる。このとき、中間のデータラインには、第１データ信号Ｓ１１のアクティブ時点から第２データ信号Ｓ１２のアクティブ時点までの区間で、一定の時点だけシフトさせる方式で互いに異なるアクティブ時点を有するようにデータ電圧を印加することができる。
【００５６】
図５は、本発明の他の実施例によるデータライン駆動方法を説明するための波形図である。
【００５７】
図１ないし図３と図５に示すように、液晶パネル１００の１番目のスキャンラインをアクティブにする第１スキャン信号Ｇ１が印加されることにより、データ駆動部５００は、液晶パネル１００の１番目のデータラインに対して、第１スキャン信号Ｇ１のアクティブ区間の概ね９０％区間を有する第１データ信号Ｓ１１を出力し、２番目のデータラインには、第１スキャン信号Ｇ１のアクティブ区間の概ね７０％区間を有する第２データ信号Ｓ１２を出力し、３番目のデータラインには第１スキャン信号のアクティブ区間の概ね５０％区間を有する第３データ信号Ｓ１３を出力する。
【００５８】
即ち、第１データ信号Ｓ１１は第１スキャン信号Ｇ１がアクティブになった後、第１遅延時間ＴＤ１の経過と同時に、低レベルから高レベルに移行するデータ電圧形態として出力され、第１スキャン信号Ｇ１が非アクティブになることにより、高レベルから低レベルに移行する。
【００５９】
第２データ信号Ｓ１２は第１データ信号Ｓ１１がアクティブになった後、第２遅延時間の経過と共に、低レベルから高レベルに移行するデータ電圧形態で出力され、第１スキャン信号Ｇ１が非アクティブになることにより、高レベルから低レベルに移行する。
【００６０】
第３データ信号Ｓ１３は第２データ信号Ｓ１２がアクティブになった後、第３遅延時間ＴＤ３の経過と同時に、低レベルから高レベルに移行するデータ電圧形態で出力され、第１スキャン信号Ｇ１が非アクティブになることにより、高レベルから低レベルに移行する。第１スキャン信号Ｇ１が非アクティブになると同時に、または第３遅延時間ＴＤ４経過後、第２スキャン信号Ｇ２がアクティブになる。
【００６１】
第１データ信号Ｓ１１のアクティブ区間は、第１スキャン信号Ｇ１のアクティブ区間と概ね一致するので、液晶キャパシタＣＬＣを充電させるのに十分な時間であるが、第２及び第３データ信号Ｓ１２、Ｓ１３のアクティブ区間は、液晶キャパシタＣＬＣを充電させるのに十分な時間ではないおそれがある。このような点を勘案すると第２及び第３データ信号Ｓ１２、Ｓ１３がアクティブされる区間は液晶キャパシタＣＬＣを充電させるのに十分な時間を確保することが望ましい。
【００６２】
以上、１つのスキャンラインに印加されるスキャン信号に対応して互いに異なる３つのアクティブ区間を有し、アクティブ区間が減少するデータ信号を説明したが、前述したアクティブ区間が増加するデータ信号を適用することもでき、アクティブ区間が減少した後増加するようなデータ信号、またはアクティブ区間が増加した後減少するデータ信号などの多様な組み合わせとすることが可能である。
【００６３】
また、３つのアクティブ区間を有するデータ信号のみを説明したが、多用に適用することができる。例えば、第１タイミング信号Ｓ１１を３ｎ−２（ｎは自然数）番目のデータラインに印加されるデータ電圧として定義し、第２データ信号Ｓ１２を３ｎ−１（ｎは自然数）番目のデータラインに印加されるデータ電圧として定義し、第３データ信号Ｓ１３を３ｎ（ｎは自然数）番目のデータラインに印加されるデータ電圧として定義することができる。
【００６４】
また、第１データ信号Ｓ１１を一番目のデータラインに印加されるデータ電圧として定義し、第２データ信号Ｓ１２を中間のデータラインに印加されるデータ電圧として定義し、第３データ信号Ｓ１３を最後のデータラインに印加されるデータ電圧として定義することができる。このとき、中間のデータラインには第１データ信号Ｓ１１のアクティブ時点から第２データ信号Ｓ１２のアクティブ時点までの区間で一定の時点だけシフトさせる方式と第２データ信号のアクティブ時点から第３データ信号のアクティブ時点までの区間で一定の時点だけシフトさせる方式で互いに異なるアクティブ時点を有するようにデータ電圧を印加することができる。
【００６５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６６】
【図１】本発明による液晶表示装置を示すための図面である。
【図２】前記した図１のデータ駆動部を示すための図面である。
【図３】前記した図２の出力部の一例を示すための図面である。
【図４】本発明の一実施例によるデータライン駆動方法を説明するための波形図である。
【図５】本発明の他の一実施例によるデータライン駆動方法を説明するための波形図である。
【符号の説明】
【００６７】
１００      液晶表示パネル
２００      タイミング制御部
３００      階調電源発生部
４００      共通電源発生部
５００      データ駆動部
５１０      第１シフトレジスタ
５２０      データバッファ
５３０      データレジスタ
５４０      制御回路
６００      スキャン駆動部
【図１】
2005078096.tif 000003
【図２】
2005078096.tif 000004
【図３】
2005078096.tif 000005
【図４】
2005078096.tif 000006
【図５】
2005078096.tif 000007